【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
制御装置を、
プリンターに装填されたテープのテープ幅を含むステータス情報を定期的に取得するステータス情報取得部と、
前記プリンターに送信する印刷データの編集画面および前記ステータス情報を表示する表示部と、
前記表示部の表示制御を行う表示制御部と、して機能させるためのプログラムであって、
前記表示制御部は、
前記ステータス情報として、取得した最新の前記ステータス情報に基づく現在テープ幅を前記表示部に表示させることを特徴とするプログラム。
【請求項２】
前記制御装置を、
取得した前記ステータス情報および／または前記ステータス情報の取得の有無に基づいて、特定のステータス変化が生じたか否かを判別し、前記特定のステータス変化が生じた場合に、前記印刷データのテープ幅の設定を変更するデータ編集部としてさらに機能させるための請求項１に記載のプログラム。
【請求項３】
前記特定のステータス変化は、前記テープを装填するための開閉蓋の開閉状態を示すステータスが「開放」から「閉塞」に変化するステータス変化、および前記プリンターの電源状態を示すステータスが「電源オフ」から「電源オン」に変化するステータス変化の少なくとも一方を含むことを特徴とする請求項２に記載のプログラム。
【請求項４】
前記制御装置を、
前記プリンターに印刷実行を指示するための操作部としてさらに機能させるためのプログラムであり、
前記表示制御部は、前記印刷実行が指示されたとき、前記印刷データに設定されているテープ幅と、前記現在テープ幅と、が一致するか否かを判別し、一致しない場合、前記テープの交換を促すダイアログ画面を前記表示部に表示させることを特徴とする請求項１ないし３のいずれか１項に記載のプログラム。
【請求項５】
前記制御装置を、
前記ダイアログ画面が表示されている状態で、前記印刷データに設定されているテープ幅を示す前記ステータス情報を取得した場合、前記操作部による指示を伴うことなく、前記印刷データを前記プリンターに送信する印刷データ送信部としてさらに機能させるための請求項４に記載のプログラム。
【請求項６】
プリンターに送信する印刷データを生成する印刷データ生成装置であって、
前記プリンターに装填されたテープのテープ幅を含むステータス情報を定期的に取得するステータス情報取得部と、
前記印刷データの編集画面および前記ステータス情報を表示する表示部と、
前記表示部の表示制御を行う表示制御部と、を備え、
前記表示制御部は、
前記ステータス情報として、取得した最新の前記ステータス情報に基づく現在テープ幅を前記表示部に表示させることを特徴とする印刷データ生成装置。
【請求項７】
印刷データ生成装置が、
プリンターに装填されたテープのテープ幅を含むステータス情報を定期的に取得するステータス情報取得ステップと、
前記プリンターに送信する印刷データの編集画面と当該ステータス情報とを表示する表示ステップと、
前記表示ステップの表示制御を行う表示制御ステップと、を実行し、
前記表示制御ステップでは、前記ステータス情報として、取得した最新の前記ステータス情報に基づく現在テープ幅を表示させるように表示制御を行うことを特徴とする印刷データ生成装置の制御方法。
【請求項８】
印刷データを生成する制御装置と、
前記制御装置から送信された前記印刷データを、テープ上に印刷するプリンターと、を備えた印刷システムであって、
前記制御装置は、
前記プリンターに装填された前記テープのテープ幅を含むステータス情報を定期的に取得するステータス情報取得部と、
前記印刷データの編集画面および前記ステータス情報を表示する表示部と、
前記表示部の表示制御を行う表示制御部と、を備え、
前記表示制御部は、
前記ステータス情報として、取得した最新の前記ステータス情報に基づく現在テープ幅を前記表示部に表示させることを特徴とする印刷システム。
【手続補正２】
【補正対象書類名】明細書
【補正対象項目名】発明の名称
【補正方法】変更
【補正の内容】
【発明の名称】プログラム、印刷データ生成装置、印刷データ生成装置の制御方法および印刷システム
【手続補正３】
【補正対象書類名】明細書
【補正対象項目名】０００１
【補正方法】変更
【補正の内容】
【０００１】
本発明は、制御装置を動作させるためのプログラム、印刷データ生成装置、印刷データ生成装置の制御方法および印刷システムに関するものである。
【手続補正４】
【補正対象書類名】明細書
【補正対象項目名】０００５
【補正方法】変更
【補正の内容】
【０００５】
本発明は、ユーザーが現在装着されているテープのテープ幅を常に認識することができるプログラム、印刷データ生成装置、印刷データ生成装置の制御方法および印刷システムを提供することを課題としている。
【手続補正５】
【補正対象書類名】明細書
【補正対象項目名】０００６
【補正方法】変更
【補正の内容】
【０００６】
本発明のプログラムは、制御装置を、プリンターに装填されたテープのテープ幅を含むステータス情報を定期的に取得するステータス情報取得部と、プリンターに送信する印刷データの編集画面およびステータス情報を表示する表示部と、表示部の表示制御を行う表示制御部と、して機能させるためのプログラムであって、表示制御部は、ステータス情報として、取得した最新のステータス情報に基づく現在テープ幅を表示部に表示させることを特徴とする。
【手続補正６】
【補正対象書類名】明細書
【補正対象項目名】０００８
【補正方法】変更
【補正の内容】
【０００８】
本発明の印刷データ生成装置の制御方法は、印刷データ生成装置が、プリンターに装填されたテープのテープ幅を含むステータス情報を定期的に取得するステータス情報取得ステップと、プリンターに送信する印刷データの編集画面と当該ステータス情報とを表示する表示ステップと、表示ステップの表示制御を行う表示制御ステップと、を実行し、表示制御ステップでは、ステータス情報として、取得した最新のステータス情報に基づく現在テープ幅を表示させるように表示制御を行うことを特徴とする。
本発明の印刷システムは、印刷データを生成する制御装置と、制御装置から送信された印刷データを、テープ上に印刷するプリンターと、を備えた印刷システムであって、制御装置は、プリンターに装填されたテープのテープ幅を含むステータス情報を定期的に取得するステータス情報取得部と、印刷データの編集画面およびステータス情報を表示する表示部と、表示部の表示制御を行う表示制御部と、を備え、表示制御部は、ステータス情報として、取得した最新のステータス情報に基づく現在テープ幅を表示部に表示させることを特徴とする。
【手続補正７】
【補正対象書類名】明細書
【補正対象項目名】００１０
【補正方法】変更
【補正の内容】
【００１０】
上記のプログラムにおいて、制御装置を、取得したステータス情報および／またはステータス情報の取得の有無に基づいて、特定のステータス変化が生じたか否かを判別し、特定のステータス変化が生じた場合に、印刷データのテープ幅の設定を変更するデータ編集部としてさらに機能させることが好ましい。
【手続補正８】
【補正対象書類名】明細書
【補正対象項目名】００１３
【補正方法】変更
【補正の内容】
【００１３】
一方、制御装置を、プリンターに印刷実行を指示するための操作部としてさらに機能させるためのプログラムであり、表示制御部は、印刷実行が指示されたとき、印刷データに設定されているテープ幅と、現在テープ幅と、が一致するか否かを判別し、一致しない場合、テープの交換を促すダイアログ画面を表示部に表示することが好ましい。
【手続補正９】
【補正対象書類名】明細書
【補正対象項目名】００１５
【補正方法】変更
【補正の内容】
【００１５】
この場合、制御装置は、ダイアログ画面が表示されている状態で、印刷データに設定されているテープ幅を示すステータス情報を取得した場合、操作部による指示を伴うことなく、印刷データをプリンターに送信する印刷データ送信部としてさらに機能させることが好ましい。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００２０
【補正方法】変更
【補正の内容】
【００２０】
以下、添付の図面を参照して、本発明のプログラム、印刷データ生成装置、印刷データ生成装置の制御方法および印刷システムについて説明する。本実施形態では、本発明を適用した印刷システムを例に挙げて説明する。
【手続補正１３】
【補正対象書類名】明細書
【補正対象項目名】００４３
【補正方法】変更
【補正の内容】
【００４３】
続いて、携帯端末２は、データ編集部４６により、得られたステータス情報に基づいて、特定のステータス変化が生じたか否かを判別し（Ｓ１１）、特定のステータス変化が生じた場合（Ｓ１１：Ｙｅｓ）は、印刷データ６２のテープ幅の設定を変更する（Ｓ１２）。特定のステータス変化は、開閉ステータスが「開放」から「閉塞」に変化するステータス変化、および電源ステータスが「電源オフ」から「電源オン」に変化するステータス変化を含む。すなわち、具体的には、前回の定期動作で得られたステータス情報と、今回の定期動作で得られたステータス情報と、を参酌し、開閉ステータスや電源ステータスが、上記のように変化したか否かによって、特定のステータス変化が生じたか否かを判別する（Ｓ１１）。そして、特定のステータス変化が生じていない場合（Ｓ１１：Ｎｏ）には、本動作を終了し、一方、特定のステータス変化が生じた場合（Ｓ１１：Ｙｅｓ）には、印刷データ６２のテープ幅の設定を変更して（Ｓ１２）、本動作を終了する。すなわち、テープ幅設定メニュー７２への操作によって印刷データ６２のテープ幅が設定されていた場合にも、現在装填している印刷テープＴのテープ幅に合わせて、印刷データ６２のテープ幅を強制的に変更する。